(57)【要約】【課題】  衣本体の装着、取外し、取り替え、あるいは検温、腹胸部聴診といった作業を簡単に素早く行える実用的な体温冷却衣が望まれていた。【解決手段】  体温冷却衣１は、後身頃２と右前身頃４と左前身頃３と右袖１０Ａと左袖１０Ｂとからなる衣本体１Ａを備え、右袖１０Ａは、後身頃２の右肩部２Ａと右前身頃４の肩部４Ａとが第１係合部材９Ａを介して着脱可能に接続されてなり、左袖１０Ｂは、後身頃２の左肩部２Ｂと左前身頃３の肩部３Ａとが第２係合部材９Ｂを介して着脱可能に接続されてなり、第１係合部材９Ａおよび第２係合部材９Ｂの係合状態を解いて、後身頃２の右肩部２Ａと右前身頃４の肩部４Ａとを離し、且つ、後身頃２の左肩部２Ｂと左前身頃３の肩部３Ａとを離すことにより、衣本体１Ａが平面状に展開されるように構成されている。【選択図】      図３
2006028665.tif 000002
【特許請求の範囲】
【請求項１】
後身頃と、後身頃につながった右前身頃と、後身頃につながった左前身頃と、後身頃および右前身頃につながった右袖と、後身頃および左前身頃につながった左袖とからなる衣本体を備え、後身頃、右袖、および左袖に、保冷材を出し入れ可能に収容する収容ポケットがそれぞれ設けられ、右袖および左袖の収容ポケットは着用時に着用者の腋窩部と対面する位置に配置されており、右袖は、後身頃の右肩部と右前身頃の肩部とが第１係合部材を介して着脱可能に接続されてなり、左袖は、後身頃の左肩部と左前身頃の肩部とが第２係合部材を介して着脱可能に接続されてなり、第１係合部材および第２係合部材の係合状態を解いて、後身頃の右肩部と右前身頃の肩部とを離し、且つ、後身頃の左肩部と左前身頃の肩部とを離すことにより、衣本体が平面状に展開されるように構成されている体温冷却衣。
【請求項２】
着用者の大腿部に巻きつけられる帯状体が衣本体の裾部に第３係合部材を介して着脱可能に取り付けられ、巻きつけ時に着用者の鼠蹊部と対面する位置の帯状体に、保冷材を収容する収容ポケットが設けられ、保冷材を出し入れする収容ポケットの出し入れ口が巻きつけ時に体側となる帯状体の面に開口している請求項１に記載の体温冷却衣。
【請求項３】
帯状体の長尺寸法は着用者の首に巻きつけ可能な長さに設定され、帯状体の長尺方向の一端部と他端部に、帯状体を着用者の首に巻きつけた状態で互いに係脱可能に係止される第４係合部材がそれぞれ設けられている請求項２に記載の体温冷却衣。
【発明の詳細な説明】
【技術分野】
【０００１】
本発明は、冷蔵庫などで冷やした保冷材を用いて体温を下げる体温冷却衣に関するものである。
【背景技術】
【０００２】
従前より、高熱を出すと額や後頭部に冷タオルや冷却材を当てて体温を下げるようにしていた。しかしながら、幼児は高熱があっても安静に寝ていることが少なく、冷タオルや冷却材を当てても手で払い除けてしまうことが多い。それでも、脱水症状や熱性けいれんのおそれがある場合はただちに解熱しなければならない。このような場合に坐薬が使用されるが、坐薬は体への負担が大きいため頻繁には使用できない。
【０００３】
そこで、本発明者は、冷蔵庫などで冷やした保冷材を用いる体温冷却衣を開発して特許出願（下記の特許文献１）した。この体温冷却衣は、互いに分離独立した前身頃および後身頃と、前身頃と後身頃を係脱可能に係止する係合部材とからなる衣本体を備えている。衣本体の衿ぐりに袖が接合され、衣本体の裾に、着用者の大腿部に巻かれる帯状体が接合されている。そして、保冷材を収容する収容ポケットが、後身頃の背中部分、袖の腋窩部対面位置、帯状体の鼠蹊部対面位置にそれぞれ設けられている。
この体温冷却衣は、後身頃の保冷材で図６に示した着用者Ｍの心臓４６を冷却し、袖の保冷材で腋窩部４０の腋窩動脈４１を冷却し、帯状体の保冷材で鼠蹊部４３の大腿動脈４２を冷却し、これらによって着用者Ｍの高熱を急速に下げるようになっている。
【０００４】
【特許文献１】特開２００２−３７１４０７号公報
【発明の開示】
【発明が解決しようとする課題】
【０００５】
ところが、前記した体温冷却衣は、係合箇所が多く、各部分の接続作業や取り外し作業に手間と時間がかかるという問題がある。そのために、家庭で用いる場合は何とか対応できるが、装着、取外し、取り替え、検温、あるいは腹胸部聴診といった作業を簡単に素早く行なわなければならない病院業務などには適さない。他方で、着用者の頭部に高熱があった場合でも、いち早く頭部を解熱することができなかった。
【０００６】
本発明は、上記した従来の問題点に鑑みてなされたものであって、衣本体の装着、取外し、取り替え、あるいは検温、腹胸部聴診といった作業を簡単に素早く行える実用的な体温冷却衣の提供を目的とする。
【課題を解決するための手段】
【０００７】
上記目的を達成するために、本発明に係る体温冷却衣は、後身頃と、後身頃につながった右前身頃と、後身頃につながった左前身頃と、後身頃および右前身頃につながった右袖と、後身頃および左前身頃につながった左袖とからなる衣本体を備え、後身頃、右袖、および左袖に、保冷材を出し入れ可能に収容する収容ポケットがそれぞれ設けられ、右袖および左袖の収容ポケットは着用時に着用者の腋窩部と対面する位置に配置されており、右袖は、後身頃の右肩部と右前身頃の肩部とが第１係合部材を介して着脱可能に接続されてなり、左袖は、後身頃の左肩部と左前身頃の肩部とが第２係合部材を介して着脱可能に接続されてなり、第１係合部材および第２係合部材の係合状態を解いて、後身頃の右肩部と右前身頃の肩部とを離し、且つ、後身頃の左肩部と左前身頃の肩部とを離すことにより、衣本体が平面状に展開されるように構成してある。
【０００８】
また、前記の構成において、着用者の大腿部に巻きつけられる帯状体が衣本体の裾部に第３係合部材を介して着脱可能に取り付けられ、巻きつけ時に着用者の鼠蹊部と対面する位置の帯状体に、保冷材を収容する収容ポケットが設けられ、保冷材を出し入れする収容ポケットの出し入れ口が巻きつけ時に体側となる帯状体の面に開口しているものである。
【０００９】
そして、前記した構成において、帯状体の長尺寸法は着用者の首に巻きつけ可能な長さに設定され、帯状体の長尺方向の一端部と他端部に、帯状体を着用者の首に巻きつけた状態で互いに係脱可能に係止される第４係合部材がそれぞれ設けられているものである。
【発明の効果】
【００１０】
本発明に係る体温冷却衣によれば、後身頃、右袖、および左袖の収容ポケットに収容された保冷材により背中、腋窩部、鼠蹊部が冷却されるので、着用者の体温を迅速に下げることができる。また、後身頃の右肩部と右前身頃の肩部とを離し、且つ、後身頃の左肩部と左前身頃の肩部とを離すことにより、衣本体が平面状に展開されるので、体温冷却衣の着用後でも腋窩部の検温や腹胸部の聴診などを簡単に手早く行なうことができる。
【００１１】
また、巻きつけ時に着用者の鼠蹊部と対面する位置の帯状体に、保冷材を収容する収容ポケットが設けられ、保冷材を出し入れする収容ポケットの出し入れ口が巻きつけ時に体側となる帯状体の面に開口している場合は、着用者の鼠蹊部を冷却することができる。そのうえ、体側に配される面に開口している出し入れ口は、密着している大腿部により蓋止されるので、収容ポケット内の保冷材が出し入れ口から抜け落ちることを防止できる。
【００１２】
そして、帯状体が着用者の首に巻きつけ可能な長さに設定され、帯状体を着用者の首に巻きつけた状態で係脱可能に係止される第４係合部材を備えている場合は、帯状体を着用者の首に巻きつけることができ、帯状体の保冷材により着用者の頚動脈を冷却することができる。これにより、緊急に頭部の高熱を下げて、高熱に起因する脳障害の発生を未然に防ぐことができる。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る体温冷却衣の正面図、図２は前記体温冷却衣の背面図、図３は前記体温冷却衣を展開したときの背面図である。
各図において、この実施形態に係る体温冷却衣１は、着用者の背中を被う後身頃２と、後身頃２の右側辺に縫着されたマチ布６と、後身頃２の左側辺に縫着されたマチ布５と、マチ布６の側辺に縫着された右前身頃４と、マチ布５の側辺に縫着された左前身頃３を備えている。
【００１４】
後身頃２の右肩部２Ａおよび左肩部２Ｂの外面（それぞれ展開時の背面）には２つの面ファスナ鉤７，７がそれぞれ前後方向を向いて縫着されている。右前身頃４の肩部４Ａの内面および左前身頃３の肩部３Ａの内面（それぞれ展開時の前面）には、前記の面ファスナ鉤７，７と係脱可能に係合する２つの面ファスナループ８，８がそれぞれ前後方向を向いて縫着されている。すなわち、右前身頃４の肩部４Ａの面ファスナループ８，８と後身頃２の右肩部２Ａの面ファスナ鉤７，７とから、右前身頃４の肩部４Ａと後身頃２の右肩部２Ａとよりなる接続部６Ａを着脱可能に接続する第１係合部材９Ａが構成される。また、左前身頃３の肩部３Ａの面ファスナループ８，８と後身頃２の左肩部２Ｂの面ファスナ鉤７，７とから、左前身頃３の肩部３Ａと後身頃２の左肩部２Ｂとよりなる接続部６Ｂを着脱可能に接続する第２係合部材９Ｂが構成される。
前記のように、後身頃２の右肩部２Ａ、マチ布６の上端部、および右前身頃４の肩部４Ａが着脱可能につながって右袖１０Ａが形成され、後身頃２の左肩部２Ｂ、マチ布５の上端部、および左前身頃３の肩部３Ａが着脱可能につながって左袖１０Ｂが形成される。すなわち、マチ布５，６はそれぞれの後半分が本発明の後身頃を構成し、マチ布５の前半分が本発明の左前身頃を構成し、マチ布６の前半分が本発明の右前身頃を構成している。尚、右袖１０Ａおよび左袖１０Ｂはいわゆるフレンチ袖風に形成されているが、本発明の袖形状はフレンチ袖に限定されるものでない。
【００１５】
左前身頃３の衿下は右前身頃４の衿下の上に重ね合わせられる寸法・形状に形成されている。右前身頃４の衿下の外面には２つの面ファスナ鉤１２，１２がそれぞれ横向きで縫着されている。左前身頃３の衿下の内面には、前記の面ファスナ鉤１２，１２と係脱可能に係合する２つの面ファスナループ１３，１３がそれぞれ横向きで縫着されている。右前身頃４衿下の面ファスナ鉤１２，１２と左前身頃３衿下の面ファスナループ１３，１３とから、右前身頃４と左前身頃３とを着脱可能に係止する第５係合部材１４が構成される。前記した後身頃２、マチ布６、マチ布５、右前身頃４、左前身頃３、右袖１０Ａ、および左袖１０Ｂから、体温冷却衣１の衣本体１Ａが構成される。この場合、後身頃２の上縁、右前身頃４の衿上、および左前身頃３の衿上が衣本体１Ａの襟ぐり１１となる。また、後身頃２、右前身頃４、左前身頃３、マチ布５，６はそれぞれの裾部が着用者Ｍの腰まで届く丈寸法に形成されている。
【００１６】
そして、後身頃２には、上部に出し入れ口１７を有する収容ポケット１６が縫着されている。右袖１０Ａの一部をなすマチ布６の上部と、左袖１０Ｂの一部をなすマチ布５の上部には、出し入れ口２０を上部に有する収容ポケット１９がそれぞれ縫着されている。後身頃２の収容ポケット１６には、保冷材１８が出し入れ口１７を通して出し入れ可能に収容される。右袖１０Ａおよび左袖１０Ｂの収容ポケット１９，１９には、保冷材２２，２２がそれぞれ出し入れ口２０，２０を通して出し入れ可能に収容されるようになっている。これらの収容ポケット１９，１９は、体温冷却衣１を着用した時に着用者の腋窩部４０，４０（図５および図６参照）と対面する位置となるように右袖１０Ａおよび左袖１０Ｂに配置されている。収容ポケット１９，１９の上部には、ゴム糸を横向きに挿入して絞ったゴム糸絞り部２１，２１がそれぞれ設けられている。
【００１７】
そして、着用者Ｍ（図５参照）の右足の大腿部４５に巻きつけられる帯状体２６Ａが、衣本体１Ａにおける右前身頃４の裾部４Ｂに第３係合部材２５を介して着脱可能に取り付けられるようになっている。左足の大腿部４５に巻きつけられる帯状体２６Ｂは、左前身頃３の裾部３Ｂに第３係合部材２５を介して着脱可能に取り付けられるようになっている。第３係合部材２５は、右前身頃４の裾部４Ｂおよび左前身頃３の裾部３Ｂにおいてそれぞれ補強布１５で補強された部位に固着された雄ホック２３，２３と、帯状体２６Ａ，２６Ｂの一端部３３にそれぞれ固着されていて雄ホック２３，２３と係脱可能に係合する雌ホック２４，２４とからなっている。これらの帯状体２６Ａ，２６Ｂでは、着用者Ｍの大腿部４５に巻きつけた時に鼠蹊部４２と対面する位置に、収容ポケット３０，３０がそれぞれ設けられている。この場合、収容ポケット３０に保冷材３２を出し入れする出し入れ口３１は、帯状体２６Ａ，２６Ｂを大腿部４５に巻きつけた時に体側に配される面２６ａに開口している。
【００１８】
帯状体２６Ａ，２６Ｂ（図４参照）の長尺方向の一端部３３の外面に面ファスナ鉤２８が縫着され、長尺方向の他端部３４の内面には面ファスナループ２７が縫着されている。これらの面ファスナ鉤２８，２８と面ファスナループ２７，２７とから、帯状体２６Ａ，２６Ｂを着用者Ｍの首に巻きつけた状態で互いに係脱可能に係止される第４係合部材２９，２９が構成される。帯状体２６Ａ，２６Ｂの長尺方向における寸法Ｌは着用者Ｍの首に巻きつけたときに他端部３４の面ファスナループ２７が一端部３３の面ファスナ鉤２８に届く長さに設定されている。
【００１９】
上記した後身頃２、右前身頃４、左前身頃３、補強布１５、収容ポケット１６、帯状体２６Ａ、帯状体２６Ｂ、および収容ポケット３０は例えば通気性と止水性を備えた不織布で構成され、マチ布５、マチ布６、および収容ポケット１９は例えばメリヤス地で構成され、各部の縁取布は例えばゴム編地のバイアス布で構成されている。但し、各部の素材は上記した素材に限定されない。
また、上記した保冷材１８，２２，３２は、例えば合成樹脂製の密封容器内に水、エチレングリコール、グリセリンなどの液体を封入したものであり、それぞれ収容ポケット１６，１９，３０内に収容可能な大きさで扱いやすい厚さに形成されている。
【００２０】
続いて、上記の体温冷却衣１を着用者Ｍ（例えば熱のある幼児）に着せる態様を説明する。
この体温冷却衣１は保冷材の冷たさを緩和するためにパジャマや普段着の上から着用することが望ましいが、素肌に直に着用することも可能である。使用に先立って、帯状体２６Ａが右前身頃４の裾部４Ｂに第３係合部材２５を介して取り付けられ、帯状体２６Ｂが左前身頃３の裾部３Ｂに第３係合部材２５を介して取り付けられる。また、予め冷蔵庫などで冷やしておいた保冷材１８，２２，３２がそれぞれ収容ポケット１６，１９，３０に収容される。
そこで、第１係合部材９Ａの面ファスナ鉤７，７から面ファスナループ８，８を剥がして第１係合部材９Ａの係合状態を解き、後身頃２の右肩部２Ａから右前身頃４の肩部４Ａを離す。同様に、第２係合部材９Ｂの面ファスナ鉤７，７から面ファスナループ８，８を剥がして第２係合部材９Ｂの係合状態を解き、後身頃２の左肩部２Ａから左前身頃３の肩部３Ａを離す。そして、衣本体１Ａ全体を広げると、図３に示すように、衣本体１Ａが１枚の平面状に展開される。
【００２１】
上記のように展開した衣本体１Ａをベッドなどの上に置き、この衣本体１Ａ上に着用者Ｍを仰向けに寝かせる。すると、収容ポケット１６内の保冷材１８が後身頃２を隔てて着用者Ｍの背中に密着して心臓４６を冷やす。そこで、着用者Ｍに右前身頃４を被せ、右前身頃４の衿下の上に左前身頃３の衿下を重ね、第５係合部材１４の面ファスナ鉤１２，１２に面ファスナループ１３，１３を係合させて左前身頃３を右前身頃４に留める。後身頃２の右肩部２Ａを着用者Ｅの右肩に被せ、その右肩部２Ａの上に右前身頃４の肩部４Ａを重ねて、第１係合部材９Ａの面ファスナ鉤７，７に面ファスナループ８，８を係合させる。すると、後身頃２の右肩部２Ａと右前身頃４の肩部４Ａとが接続されて接続部６Ａとなり、これによって右袖１０Ａが形成される。また、後身頃２の左肩部２Ｂを着用者Ｅの左肩に被せ、その左肩部２Ｂの上に左前身頃３の肩部３Ａを重ねて、第２係合部材９Ｂの面ファスナ鉤７，７に面ファスナループ８，８を係合させる。すると、後身頃２の左肩部２Ｂと左前身頃３の肩部３Ａとが接続されて接続部６Ｂとなり、これによって左袖１０Ｂが形成される。このとき、左右の収容ポケット１９，１９は着用者Ｍの腋窩部４０，４０と対面し、保冷材２２，２２はそれぞれ１枚のマチ布６またはマチ布５だけを隔てて腋窩部４０，４０に密着して冷やす。この場合、収容ポケット１９，１９内の保冷材１８，１８はゴム糸絞り部２１，２１のゴム糸により弾性的に保持されるので、着用者Ｍが寝返りを打ったり激しく体を動かしたりしても保冷材１８，１８が収容ポケット１９，１９内で位置ズレしたり出し入れ口２０，２０から抜け落ちたりすることがない。
【００２２】
そして、左右の帯状体２６Ａ，２６Ｂを着用者Ｍの大腿部４５，４５に巻きつけ、第４係合部材２９の面ファスナループ２７，２７を面ファスナ鉤２８，２８に係止させて帯状体２６Ａ，２６Ｂを筒状に保持する。このとき、帯状体２６Ａ，２６Ｂの収容ポケット３０，３０が着用者Ｍの大腿部４５の付け根から大腿前部にわたる鼠蹊部４２と対面し、保冷材３２，３２は収容ポケット３０，３０の１枚の不織布を隔てて鼠蹊部４２，４２に密着して冷やす。その場合、収容ポケット３０の出し入れ口３１は、密着している大腿部４５により実際上閉止されているので、保冷材３２が出し入れ口３１から抜け落ちたりしない。加えて、出し入れ口３１用の蓋を別途必要とせず、簡素な構成で済む。
【００２３】
このようにして、体温冷却衣１全体の装着が完了する。かかる体温冷却衣１の装着作業は前記のように文章で事細かに表わせば長く感じるが、実際には衣本体１Ａの装着に２〜３秒間、帯状体２６Ａ，２６Ｂの装着に２〜３秒間かかるだけであり、極めて短時間で簡単に装着を済ませることができる。無論、体温冷却衣１を着用者から取り外す場合も短時間で簡単に済ませられる。尚、この実施形態の体温冷却衣１を用い、近隣の公立病院で入院小児患者３０人に治験したところ、１時間あたり平均０．７℃の体温低下が観察された。
【００２４】
上記のように着用した状態から、例えば左腋で体温を測かる場合は、第２係合部材９Ｂの面ファスナ鉤７から面ファスナループ８を外して左袖１０Ｂの接続部６Ｂを開き、第５係合部材１４の面ファスナ鉤１２，１２から面ファスナループ１３，１３を外して左前身頃３を開く。これにより着用者Ｍの左腋窩部が現われるので、右前身頃４、右袖１０Ａ、および帯状体２６Ａ，２６Ｂをこれまでの装着状態に保持したままで、左腋窩部に体温計を装着して検温することができる。検温後は第５係合部材１４を係合させて左前身頃３を右前身頃４に留め、第２係合部材９Ｂを係合させて左袖１０Ｂの接続部６Ｂを閉じるだけで、当初の装着状態に戻る。
【００２５】
尚、帯状体２６、右前身頃４、左前身頃３、後身頃２、右袖１０Ａ、左袖１０Ｂを各係合部材で係止する順序は上記の順に限るものでなく、いずれの部分から先に係止しても構わない。帯状体２６、右前身頃４、左前身頃３、後身頃２、右袖１０Ａ、左袖１０Ｂの各係合部材を外す場合も、順序は問われない。
【００２６】
他方で、着用者Ｍの頚動脈４４を冷やそうとする場合は、左右の帯状体２６Ａ，２６Ｂのいずれかまたは双方を衣本体１Ａの裾部３Ｂ，４Ｂから取り外して用いる。取り外された帯状体２６Ａ，２６Ｂは収容ポケット３０の保冷材３２の部分が着用者Ｍの頚動脈４４と対面する位置にあてがわれた状態で首に巻かれ、その後、第４係合部材２９で係止される。このように、帯状体２６Ａ，２６Ｂを用いれば、高熱になっている頭部の温度を急速に下げることができ、高熱による脳障害の発生を未然に防ぐことができる。
【００２７】
尚、上記の実施形態では、マチ布５，６を介して後身頃２、右前身頃４、左前身頃３をつなげたが、本発明はそれに限定されるものでない。例えば、マチ布５，６を省き、後身頃２の右側辺に右前身頃４を、後身頃２の左側辺に左前身頃３をそれぞれ直付けしても構わない。但し、後身頃２の左右に左前身頃３と右前身頃４を直につなぐと、腋窩部対面位置を上下に通るつなぎ目により収容ポケット１９を取り付けにくくなり、取り付けた収容ポケット１９内での保冷材２１の収容状態もゴロゴロとして良好でなくなる。これに対し、既述のように左前身頃３と右前身頃４を平らなマチ布５，６を介して後身頃２につなぐと、マチ布５，６上につなぎ目がないので収容ポケット１９を容易に取り付けることができ、収容ポケット１９内での保冷材２１の収容状態が良好となり着用者Ｍの着心地もよくなる。また、各生地間をつなぐ手段は上述した縫着に限らず、使用される生地が熱可塑性素材である場合は例えば高周波ミシンなどによる熱溶着でつなげることも可能である。あるいは、後身頃、右前身頃、および左前身頃の全体を一枚の同一生地で構成してもよい。衣本体に使用される生地の種類は特に限定されず、例えば織地、編地、ネット地、不織布などを用いることができる。
【００２８】
そして、腋窩部冷却用の出し入れ開口２０は収容ポケット１９の上部に開口して設けたが、出し入れ開口２０を塞ぎ、その代わりに収容ポケット１９の前側辺２０Ａ（図３参照）に出し入れ開口を設けると、着用者Ｍが寝たままであっても前側辺２０Ａの出し入れ開口から保冷材２２を収容ポケット１９に出し入れすることができる。
また、各係合部材９Ａ，９Ｂ，１４，２５，２９の構造は特に限定されるものでなく、例えば面ファスナ（鉤およびループ）、雄ホックと雌ホック、ボタンとボタン穴などを用いることができる。
【図面の簡単な説明】
【００２９】
【図１】本発明の一実施形態に係る体温冷却衣の正面図である。
【図２】前記体温冷却衣の背面図である。
【図３】前記体温冷却衣を展開したときの背面図である。
【図４】左右の帯状体を展ばした状態の背面図である。
【図５】前記体温冷却衣の着用状態を示す正断面を含む説明図である。
【図６】一般的な人体動脈の配置図である。
【符号の説明】
【００３０】
１    体温冷却衣
１Ａ  衣本体
２    後身頃
２Ａ  右肩部
２Ｂ  左肩部
３    左前身頃
３Ａ，４Ａ  肩部
３Ｂ，４Ｂ  裾部
４    右前身頃
７，２８  面ファスナ鉤
８，２７  面ファスナループ
９Ａ  第１係合部材
９Ｂ  第２係合部材
１０Ａ  右袖
１０Ｂ  左袖
１６，１９，３０  収容ポケット
１８，２２，３２  保冷材
２３  雄ホック
２４  雌ホック
２５  第３係合部材
２６Ａ，２６Ｂ  帯状体
２６ａ  面
２９  第４係合部材
３１  出し入れ口
３３  一端部
３４  他端部
４０  腋窩部
４３  鼠蹊部
４５  大腿部
Ｌ    長さ
Ｍ    着用者
【図１】
2006028665.tif 000003
【図２】
2006028665.tif 000004
【図３】
2006028665.tif 000005
【図４】
2006028665.tif 000006
【図５】
2006028665.tif 000007
【図６】
2006028665.tif 000008